(57)【特許請求の範囲】
【請求項１】
各階に複数の水周り設備を配置している多層建築物での給・排水構造において、
給水主管(２)と給湯主管(３)とを各階の廊下天井裏部分に配置し、この給水主管(２)および給湯主管(３)にそれぞれ複数の弁口を有するバルブユニット(４)(５)を配置し、各バルブユニット(４)(４)に各部屋への給水枝管(７)と給湯枝管(８)とをそれぞれ分岐配管するとともに、各階を貫通する状態で垂直方向に配設されている排水主管(12)と、この排水主管(12)に接続されている排水枝管(11)とで排水系を構成し、排水主管(12)に一定間隔置きに４５度Ｙ字管継手(13)を配置し、この４５度Ｙ字管継手(13)の分岐管部分(14)に菊割ゴム製水滴飛散防止具(15)を嵌着するとともに、菊割ゴム製水滴飛散防止具(15)の端部をキャップ部材(16)で閉塞可能に構成したことを特徴とする多層建築物での給・排水構造。
【請求項２】
多層建築物が、複数の部屋が少なくとも廊下の片側に並列配置されたものであり、排水主管(12)を廊下に面して形成したパイプスペース内に配置し、各部屋に配置した水周り設備と排水主管(12)とを排水枝管(11)で連通接続するとともに、４５度Ｙ字管継手(13)の管端部を廊下側から操作可能に構成してある請求項１に記載した多層建築物での給・排水構造。
【請求項３】
４５度Ｙ字管継手(13)を複数階置きに設置した請求項１または２に記載してある多層建築物での給・排水構造。
【発明の詳細な説明】
【技術分野】
【０００１】
本発明は、多層建築物での給・排水構造に関し、特に、廊下の少なくとも片側に部屋を並設した集合住宅や合宿所あるいはホテル等の宿泊施設での多層建築物での給・排水構造に関する。
【背景技術】
【０００２】
例えば、ホテルでは、廊下に面して客室が並列配置してあり、各客室に配置されている浴槽、洗面台、便器への給水・給湯は、各客室に隣接して配置したパイプスペースに給水・給湯用バルブを設けて各客室ごとに保守管理できるようにするとともに、各客室に配置されている浴槽、洗面台、便器からの排水は、浴槽、洗面台、便器からそれぞれ導出した排水枝管をパイプスペース内で上下に貫設されている排水主管に連通接続した構成となっている。
【０００３】
この場合、パイプスペースは内部で各種の作業が行えるように十分な広さの空間として確保している。
【発明の開示】
【発明が解決しようとする課題】
【０００４】
ところが、ホテルなどの給・排水設備では、部屋数が多いことから、各客室に隣接してパイプスペースを配置した場合、各階での床面積に対するパイプスペースの床面積が占める割合が大きくなる。このパイプスペースは、建物全体から見ると、デッドスペースであり、このパイプ配管スペースは小さく形成することが望まれている。
【０００５】
本発明はこのような点に着目してなされたもので、パイプスペースの占有容積を小さく形成して、居室空間の容積を広く取ることができながらも、パイプスペース内に配置されている立向き排水主管の清掃を容易に行うことのできる排水構造を提供することを目的としている。
【課題を解決するための手段】
【０００６】
上述の目的を達成するために本発明は、給水主管と給湯主管とを各階の廊下天井裏部分に配置し、この給水主管および給湯主管にそれぞれ複数の弁口を有するバルブユニットを配置し、各バルブユニットに各部屋への給水枝管と給湯枝管とをそれぞれ分岐配管するとともに、各階を貫通する状態で垂直方向に配設されている排水主管と、この排水主管に接続されている排水枝管とで排水系を構成し、排水主管に一定間隔置きに４５度Ｙ字管継手を配置し、この４５度Ｙ字管継手の分岐管部分に菊割ゴム製水滴飛散防止具を嵌着するとともに、菊割ゴム製水滴飛散防止具の端部をキャップ部材で閉塞可能に構成したことを特徴としている。
【発明の効果】
【０００７】
本発明では、給水主管と給湯主管とを各階の廊下天井裏部分に配置し、この給水主管および給湯主管にそれぞれ複数の弁口を有するバルブユニットを配置し、各バルブユニットに各部屋への給水枝管と給湯枝管とをそれぞれ分岐配管するとともに、各階を貫通する状態で垂直方向に配設されている排水主管に４５度Ｙ字管継手を一定間隔置きに配置し、この４５度Ｙ字管継手の分岐管部分に菊割ゴム製水滴飛散防止具を嵌着するとともに、菊割ゴム製水滴飛散防止具の端部をキャップ部材で閉塞可能に構成してあることから、給水・給湯系の配管を各部屋に隣接して配置するパイプスペース内に配管しなくてもよくなるうえ、排水主管内に洗浄液噴射具を挿入して排水主管内を洗浄しても、洗浄液が飛散して廊下側を汚すことがなくなる。この結果、排水主管を収容しているパイプ配管スペースはいわゆる作業スペースは必要としなくなるから、最小限の容積だけでよくなり、居室空間を広く形成することができる。
【発明を実施するための最良の形態】
【０００８】
図は本発明の一実施形態を示し、図１は廊下を挟んでそれぞれ多数の部屋を並べて位置させているホテルでの給水・給湯系を示す要部取り出し概略系統図、図２はホテルでの排水系を示す要部取り出し概略系統図、図３は排水主管の要部拡大図である。
この給水・給湯系は、廊下(１)の天井部分の上側空間に給水主管(２)と給湯主管(３)とを配管し、給水主管(２)と給湯主管(３)には、それぞれ複数の客室に給水・給湯できるようにするためのバルブユニット(４)(５)がそれぞれ配置してある。このバルブユニット(４)(５)はそれぞれ隣接配置されている複数の部屋(図では６室)に湯や水を分配できるように給湯枝管(６)及び給水枝管(７)が連通接続してあり、給湯枝管(６)と給水枝管(７)は一対となって各部屋に配管してあり、各部屋にそれぞれ配置されている浴槽(８)、洗面台(９)、便器(10)に給水・給湯できるようにしてある。
【０００９】
一方、各部屋に配置されている浴槽(８)、洗面台(９)、便器(10)からの排水は、浴槽(８)、洗面台(９)、便器(10)から連出されている各排水管(８ａ)、(９ａ)、(10ａ)を水平方向に横引状に配置した排水枝管(11)に合流させ、、隣合う２室間での廊下に面した個所に形成したパイプスペースに各階を貫通する状態で立て向きに配置してある排水主管(12)に前記排水枝管(11)を連通接続してある。
【００１０】
排水主管(12)には、複数階置きに４５度Ｙ字管継手(13)が配置してあり、この４５度Ｙ字管継手(13)の分岐管部分(14)に、図４に示す菊割ゴム製水滴飛散防止具(15)を嵌着するとともに、菊割ゴム製水滴飛散防止具(15)を嵌着している４５度Ｙ字管継手(13)の分岐管部分(14)の端部をキャップ部材(16)で開閉可能に閉塞してある。そして、この４５度Ｙ字管継手(13)の分岐管部分(14)は廊下側に位置した状態でパイプスペース内に収容されており、この４５度Ｙ字管継手(13)の分岐管部分(14)が排水主管(12)の清掃口に形成してある。
【００１１】
このように、給水主管(２)や給湯主管(３)を廊下(１)の天井部分に配管し、この給水主管(２)及び排水主管(３)に複数の弁口を有するヘッダー状に形成したバルブユニット(４)(５)をそれぞれ配置し、バルブユニット(４)(５)に連通接続されている給湯枝管(６)及び給水枝管(７)を廊下に面して並列配置されている各部屋に配管した場合には、各室に大きな容積の給湯・給水用のパイプスペースを確保しなくてもよくなることから、各階での面積を有効に利用することができることになる。
【００１２】
また、排水主管(12)に４５度Ｙ字管継手(13)を配置し、この４５度Ｙ字管継手(13)の分岐管部分(14)に菊割ゴム製水滴飛散防止具(15)を嵌着して、分岐管部分(14)を排水主管(12)の清掃口に形成した場合には、清掃時の高圧洗浄器具を使用しても洗浄水が飛散することを防止できることになるから、排水主管(12)の清掃を廊下側から行うことができるようになり、排水主管(12)を収容しているパイプスペースに作業用スペースを確保しなくてもよくなることから、パイプスペースを可及的に小さく形成することができ、各階での面積を有効に利用することができることになる。
【００１３】
なお、上記実施態様では廊下の両側に多数の部屋をそれぞれ並べて位置させたホテルでの給水・給湯系、排水系について説明したが、廊下の片側にのみ部屋を配置するホテルや集合住宅・合宿所などの給水・給湯系、排水系に適用できる。
【産業上の利用可能性】
【００１４】
本発明は、少なくとも廊下の片側に複数の水周り設備が並設されるような建築物での給水・給湯系、排水系に適用できる。
【図面の簡単な説明】
【００１５】
【図１】ホテルでの給水・給湯系を示す要部取り出し概略系統図である。
【図２】ホテルでの排水系を示す要部取り出し概略系統図である。
【図３】排水主管の要部拡大図である。
【図４】菊割ゴム製水滴飛散防止具の平面図である。
【符号の説明】
【００１６】
２…給水主管、３…給湯主管、４・５…バルブユニット、７…給水枝管、８…給湯枝管、11…排水枝管、12…排水主管、13…４５度Ｙ字管継手、14…４５度Ｙ字管継手の分岐管部分、15…菊割ゴム製水滴飛散防止具、16…キャップ部材。
【図１】
0004686307.tif 000002
【図２】
0004686307.tif 000003
【図３】
0004686307.tif 000004
【図４】
0004686307.tif 000005